(57)【要約】【課題】落下物回収装置において、エレベータを稼動している状態で落下物を回収することである。【解決手段】落下物回収装置１８において、エレベータ１０の乗場床６３と乗りかご床１２との間の隙間１１からの落下物１３を受け止める受止部２０であって、昇降路９のうち最下階よりも下側の空間であるピット部７に傾斜して設置される受止部２０と、受止部２０の傾斜下端側に設置され、受止部２０の傾斜に沿って落下する落下物１３が収納される回収箱４０と、エレベータ１０の任意の階の乗場壁において、乗客６等の操作者が立ち姿勢で開閉できる高さに配置される回収扉５０と、回収箱４０を受止部２０の傾斜下端の位置から回収扉５０の高さ位置まで引き上げる引上手段と、を備える。【選択図】図１
2008297109.tif 000002
【特許請求の範囲】
【請求項１】
建物に設置されるエレベータの各階乗場床と乗りかご床との間の隙間からの落下物を受け止める受止部であって、昇降路のうち最下階よりも下側の空間に傾斜して設置される受止部と、
受止部の傾斜下端側に設置され、受止部の傾斜に沿って落下する落下物が収納される回収箱と、
エレベータの任意の階の乗場壁において、操作者が立ち姿勢で開閉できる高さに配置される回収扉と、
回収箱を受止部の傾斜下端の位置から回収扉の高さ位置まで引き上げる引上手段と、
を備えることを特徴とするエレベータの落下物回収装置。
【請求項２】
請求項１に記載のエレベータの落下物回収装置において、
引上手段は、
回収箱に接続される引上ロープと、
引上ロープを介して回収箱を移動させるモータと、
を含むことを特徴とするエレベータの落下物回収装置。
【請求項３】
請求項２に記載のエレベータの落下物回収装置において、
引上手段は、
回収扉が開かれることに連動し、回収箱を受止部の傾斜下端の位置から回収扉の高さ位置まで移動させ、
回収扉が閉じられることに連動し、回収箱を回収扉の高さ位置から受止部の傾斜下端の位置まで移動させることを特徴とするエレベータの落下物回収装置。
【請求項４】
請求項１から請求項３のいずれか１に記載のエレベータの落下物回収装置において、
回収箱は、網目形状を有し、不燃性材質で構成されることを特徴とするエレベータの落下物回収装置。
【請求項５】
請求項１から請求項４のいずれか１に記載のエレベータの落下物回収装置において、
回収扉は、建物の管理者が保有する操作用鍵で開錠できることを特徴とするエレベータの落下物回収装置。
【請求項６】
請求項１から請求項５のいずれか１に記載のエレベータの落下物回収装置において、
回収箱は、落下物の有無を検知する検知手段を有し、
回収扉は、検知手段の検知結果を出力する出力手段を有することを特徴とするエレベータの落下物回収装置。
【請求項７】
請求項１から請求項６のいずれか１に記載のエレベータの落下物回収装置において、
受止部は、上方に開口部が設けられた半筒形状を有し、不燃性材質で構成されることを特徴とするエレベータの落下物回収装置。
【発明の詳細な説明】
【技術分野】
【０００１】
本発明は、エレベータの落下物回収装置に係り、特に、エレベータの乗りかご床と乗場床の間の隙間からの落下物の回収に関する。
【背景技術】
【０００２】
エレベータにおいては、乗客等が乗りかご床と乗場床の間の隙間に、鍵や指輪等の物を誤って落とすことがある。この場合、落下物は昇降路のいわゆるピット内に落ちてしまうため、回収するには昇降路のピットに入る必要がある。したがって、通常の乗客等では取出すことができないため、専門の保守作業員が度々呼び出され、回収作業を行うことになる。
【０００３】
そこで、例えば、特許文献１には、エレベータの落下物回収装置として、エレベータの最下階の乗場床と、乗りかご床の間の隙間の下側に設置される受止め板と、受止め板を介して落下物を回収する落下回収箱と、落下物を落下回収箱から回収するマンホールの蓋とを備えるものが開示されている。
【０００４】
特許文献２には、エレベータの落下物回収装置として、乗りかごの下部に設けられている回収箱と、乗場側へ突出可能になっている稼動受け部材と、乗りかごの各階停止時に稼動受け部材を乗りかご床と乗場床の間の隙間の下方へ突出動作させるとともに、乗りかごの昇降時には、稼動受け部材を回収箱側へ退避動作させる制御装置とを備えるものが開示され、また他の実施例として、上記の構成に加え、回収箱と通じる開口部がかご床に設けられているとともに、上記開口部には開閉可能な蓋が設けられているものが開示されている。
【０００５】
【特許文献１】特開平７−１４４８４５号公報
【特許文献２】特開平８−９９７８６号公報
【発明の開示】
【発明が解決しようとする課題】
【０００６】
上記のように、特許文献１の構成を用いることで、専門の保守作業員を呼ぶことなく落下物を回収することができる。ここで、特許文献１の構成を用いて落下物回収箱に回収される落下物を取り出す場合には、乗場床に取り付けられているマンホールを開ける必要がある。マンホールを開けている状態では、乗りかごへの乗降はできない。したがって、落下物の回収をするにあたって乗りかごを停止する必要が生じる。
【０００７】
また、特許文献２の構成を用いることでも、専門の保守作業員を呼ぶことなく落下物を回収することができる。しかし、特許文献２の構成を用いて回収箱に回収された落下物を回収する場合には、回収箱と乗場の高さとを合わせるように乗りかごを停止する必要が生じる。なお、特許文献２の他の実施例に開示されている乗りかご床に蓋を取り付ける場合には、特許文献１と同様に、落下物の回収をするためには乗りかごを停止する必要が生じる。
【０００８】
本発明の目的は、エレベータが稼動している状態で落下物を回収できる落下物回収装置を提供することである。
【０００９】
また、他の目的は、専門の保守作業員を呼ぶことなく落下物を回収できる落下物回収装置を提供することである。以下の手段では、上記目的の少なくとも１つに貢献する。
【課題を解決するための手段】
【００１０】
本発明に係る落下物回収装置において、建物に設置されるエレベータの各階乗場床と乗りかご床との間の隙間からの落下物を受け止める受止部であって、昇降路のうち最下階よりも下側の空間に傾斜して設置される受止部と、受止部の傾斜下端側に設置され、受止部の傾斜に沿って落下する落下物が収納される回収箱と、エレベータの任意の階の乗場壁において、操作者が立ち姿勢で開閉できる高さに配置される回収扉と、回収箱を受止部の傾斜下端の位置から回収扉の高さ位置まで引き上げる引上手段と、を備えることを特徴とする。
【００１１】
また、引上手段は、回収箱に接続される引上ロープと、引上ロープを介して回収箱を移動させるモータと、を含むことが好ましい。
【００１２】
また、引上手段は、回収扉が開かれることに連動し、回収箱を受止部の傾斜下端の位置から回収扉の高さ位置まで移動させ、回収扉が閉じられることに連動し、回収箱を回収扉の高さ位置から受止部の傾斜下端の位置まで移動させることが好ましい。
【００１３】
また、回収箱は、網目形状を有し、不燃性材質で構成されることが好ましい。
【００１４】
また、回収扉は、建物の管理者が保有する操作用鍵で開錠できることが好ましい。
【００１５】
また、回収箱は、落下物の有無を検知する検知手段を有し、回収扉は、検知手段の検知結果を出力する出力手段を有することが好ましい。
【００１６】
また、受止部は、上方に開口部が設けられた半筒形状を有し、不燃性材質で構成されることが好ましい。
【発明の効果】
【００１７】
上記構成の少なくとも１つにより、乗場壁において、操作者が立ち姿勢で開閉できる高さに配置される回収扉まで落下物を引き上げることができる。したがって、乗りかごへの乗降に影響せずエレベータを稼動している状態で落下物を回収することができる。
【００１８】
上記構成の少なくとも１つにより、回収箱は、網目形状を有し、不燃性材質で構成される。したがって、水等の流体物や埃等の粉塵は、網目をすり抜けるため回収対象から排除することができる。
【００１９】
上記構成の少なくとも１つにより、回収扉は、建物の管理者が保有する操作用鍵で開錠することができる。したがって、専門の保守作業員によらずに建物の管理者が落下物を容易に回収することができる。
【００２０】
上記構成の少なくとも１つにより、回収箱は、落下物の有無を検知する検知手段を有し、回収扉は、検知手段の検知結果を出力する出力手段を有する。したがって、乗客等は容易に落下物が回収箱に回収されていることを認識することができる。
【発明を実施するための最良の形態】
【００２１】
以下に図面を用いて本発明に係る実施の形態につき、詳細に説明する。なお、以下では、回収箱が最下階の乗場壁に設置されていることとして説明するが、最下階に限定されず任意の階に設置されてもよく、全階の乗場壁に設置されていてもよい。また、以下では機械室が設けられているエレベータとして説明するが、機械室レスのエレベータであってもよい。また、以下では引上モータが乗場壁内部に配置されていることとして説明するが、機械室がある場合には、最上階の機械室に配置されていてもよい。また、以下では検知手段の検知結果を出力する出力手段は回収扉上に設けられているとして説明するが、乗場壁等に設けられていてもよい。また、以下では出力手段として液晶等で出力することとして説明するが、五感で認識できる出力手段であればよい。
【００２２】
図１は、エレベータ１０の落下物回収装置１８がエレベータ１０に配置される様子を示す図である。図１において、エレベータ１０は、乗客６が乗り降りする乗りかご１４と、乗りかご１４を昇降させる主ロープ８と、主ロープ８を巻き上げる巻上機１６と、巻上機１６等が設置される機械室１５と、乗りかご１４が移動する空間である昇降路９とを含んで構成される。
【００２３】
落下物回収装置１８は、乗場床６３，６４と乗りかご床１２との間の隙間１１からの落下物１３を回収する機能を有する。落下物回収装置１８は、落下物１３を受止めるための受止部２０と、落下物１３を回収するための回収箱４０と、回収箱４０を引き上げるための引上部３０と、乗客６等が落下物を回収するための回収扉５０とを含んで構成される。
【００２４】
図２は、落下物回収装置１８を乗場６０側から見た図を示している。図３は、図２において示される受止部２０と回収箱４０の拡大斜視図である。図４は、図３において示される受止部２０と回収箱４０の平面図である。図５は、図２における回収箱４０と回収扉５０の拡大正面図である。図６は、回収箱４０から落下物１３を回収している様子を示す図である。また、以下では図１と同様の要素について、図１の符号を用いて説明する。乗場６０は、乗客６が乗降する出入り口を開閉する乗場扉６６と、乗りかご１４を呼ぶための乗場ボタン６１と、乗場ボタン６１が配置され、乗場６０と昇降路９とを区画する乗場壁６２と、乗場床６３とを含んで構成される。
【００２５】
受止部２０は、上方に開口部が設けられた半筒形状を有し、平行部２２と平行部２２から折れ曲がり下側に向けて傾斜を有する折曲部２４とを含んで構成される。受止部２０は、ステンレス等の不燃性材質で構成される。受止部２０は、昇降路９のいわゆるピット部７に配置され、落下物１３を受止めて、傾斜に沿って落下物１３を回収箱４０に向けて移動させる。
【００２６】
平行部２２は、長手方向が乗場床６３，６４と乗りかご床１２との隙間１１の長手方向に沿って、さらに折曲部２４側が下側になるように傾斜して配置される。折曲部２４は、平行部２２側と反対側の端部が回収箱４０を向いているように配置される。
【００２７】
引上部３０は、回収箱４０と接続される引上ロープ３４と、引上ロープ３４を介して回収箱４０を移動させるモータ３２とを含んで構成される。モータ３２は、正回転により回収箱４０を受止部２０の傾斜下端側の位置から回収扉５０の高さ位置まで移動させることができ、また逆回転により回収箱４０を回収扉５０の高さ位置から受止部２０の傾斜下端側の位置まで移動させることができる。なお、回収扉５０の位置については、例えば、光位置センサ等を用いて検出する。
【００２８】
回収箱４０は、網部４１とセンサ部４２とを含んで構成される。回収箱４０は、通常時は、受止部２０からの落下物１３を回収するために、折曲部２４の傾斜下端側に配置されている。
【００２９】
網部４１は、水等の流体物や埃等の粉塵は、網目を通過し回収対象から排除できる程度の網目形状を有し、ステンレス等の不燃性材質で構成される。センサ部４２は、回収箱４０に収納される落下物１３の有無を検知する適当なセンサ、例えば、赤外線センサ等で構成される。
【００３０】
回収扉５０は、開閉可能である扉部５４と、扉部５４の開閉を施錠する鍵部５２と、落下物１３の有無を表示する表示部５６とを含んで構成される。回収扉５０は、乗場壁６２において、乗客６等の操作者が立ち姿勢で開閉できる高さに配置される。
【００３１】
扉部５４は、適当な強度の素材で構成され、落下物１３の取出口を開閉する。鍵部５２は、鍵８０で施錠することができる鍵穴を含んで構成され、扉部５４の開閉を固定することができる。
【００３２】
表示部５６は、センサ部４２で検知した検知結果を表示する部分で、例えば液晶等で構成される。表示部５６は、上記のセンサ部４２からの検知結果を図示しない回路の処理結果に応じて表示を行う。
【００３３】
ここで、上記構成の作用について以下に詳細に説明する。乗客６が乗場床６３，６４と乗りかご床１２との間の隙間１１に物を落とした場合に、落下物１３は、昇降路９を落下して受止部２０によって受止められる。
【００３４】
受止部２０は、適当な傾斜を有して設置されていることから、落下物１３は、傾斜下部側に向けて移動する。次に落下物１３は、受止部２０の傾斜下端側から回収箱４０へと引き渡される。回収箱４０に引き渡されると、センサ部４２によって落下物１３が収納されていることが検知され、表示部５６に、落し物が有る旨等の表示がなされる。
【００３５】
続いて、乗客６等の操作者が管理者の保管する鍵８０を使用して、鍵部５２を開錠し、扉部５４を開けると、それに連動して引上部３０が作動する。引上部３０は、回収箱４０を受止部２０の傾斜下端側の位置から回収扉５０の高さ位置まで引き上げ、その後、引上部３０は停止する。次に、乗客６等の操作者の手７０を空洞５８に挿入し、奥に配置されたスライド扉５７を開け、回収箱４０に収納されている落下物１３を掴むことができる。
【００３６】
その後、スライド扉５７を閉め、乗客６等の操作者が回収扉５０を閉めると、それに連動して、引上部３０が作動する。引上部３０は、モータ３２を先の場合とは、逆に回転させ、回収箱４０を回収扉５０の高さ位置から受止部２０の傾斜下端側の位置まで降ろす。その後、鍵８０により鍵部５２を施錠することにより落下物１３の回収が完了する。
【００３７】
したがって、保守作業員によらず乗客６や管理者が容易に落下物１３を回収することができる。さらに回収扉５０は、乗客６が乗りかご１４に乗り降りする際の妨げとならないことからエレベータは稼動した状態で落下物を回収することができる。また、回収扉５０は乗場壁６２において乗客６等の操作者の立ち姿勢の高さ位置に配置されているため、取り出しやすくまた幼児等のいたずらを抑制することもできる。
【図面の簡単な説明】
【００３８】
【図１】本発明に係る実施の形態における落下物回収装置が配置されるエレベータ全体を示す図である。
【図２】本発明に係る実施の形態における落下物回収装置が配置される最下階の乗場付近を示す図である。
【図３】図２における受止部と回収箱の拡大斜視図である。
【図４】図３における平面図である。
【図５】図２における回収扉と回収箱の拡大正面図である。
【図６】本発明に係る実施の形態における回収箱から落下物を回収している様子を示す図である。
【符号の説明】
【００３９】
６  乗客、７  ピット部、８  主ロープ、９  昇降路、１０  エレベータ、１１  隙、１２  乗りかご床、１３  落下物、１５  機械室、１６  巻上機、１８  落下物回収装置、２０  受止部、２２  平行部、２４  折曲部、３０  引上部、３２    モータ、３４  引上ロープ、４０  回収箱、４１  網部、４２  センサ部、５０  回収扉、５２  鍵部、５４  扉部、５６  表示部、５７  スライド扉、５８  空洞、６０  乗場、６１  乗場ボタン、６２  乗場壁、６４  乗場床、６６  乗場扉、７０  操作者の手、８０  鍵。
【図１】
2008297109.tif 000003
【図２】
2008297109.tif 000004
【図３】
2008297109.tif 000005
【図４】
2008297109.tif 000006
【図５】
2008297109.tif 000007
【図６】
2008297109.tif 000008